(57)【要約】【課題】繁華街や人混みのような雑踏でも、周囲の人に撮影していることを効果的に認識させる擬似撮影音を出力することを目的とする。【解決手段】被写体を撮影するカメラ４と、周囲の音量レベルを検出するマイクロフォン６と、カメラ４による撮影を周囲に報知するスピーカ８と、マイクロフォン６により検出された音量レベルに応じてスピーカ８の報知音量を調節する制御部２０とを備えるモバイル撮影機器１０を提供する。【選択図】図１
2008079189.tif 000002
【特許請求の範囲】
【請求項１】
被写体を撮影する撮影手段と、
周囲の音量レベルを検出するレベル検出手段と、
前記撮影手段による撮影を周囲に報知する報知手段と、
前記レベル検出手段により検出された音量レベルに応じて前記報知手段の報知音量を調節する音量調節手段とを備えるモバイル撮影機器。
【請求項２】
前記音量調節手段が、報知音量を所定の時間間隔で更新して設定する請求項１に記載のモバイル撮影機器。
【請求項３】
前記音量調節手段は、前記レベル検出手段が周囲の音量レベルを検出できない場合に、前記撮影手段の作動を禁止させる請求項１または請求項２に記載のモバイル撮影機器。
【請求項４】
所定の間隔で確認音を発生する確認音発生手段を備える請求項３に記載のモバイル撮影機器。
【請求項５】
周囲の音量レベルを検出するレベル検出工程と、
該レベル検出工程において検出された音量レベルに応じて報知音量を調節する音量調節工程と、
被写体の撮影が行われたときに、前記音量調節工程において調節された報知音量で撮影を周囲に報知する報知工程とを備える撮影報知方法。
【発明の詳細な説明】
【技術分野】
【０００１】
本発明は、モバイル撮影機器に関するものである。
【背景技術】
【０００２】
従来、カメラ付き携帯電話機等のモバイル撮影機器による盗撮等の反社会的行為を防止するために、撮影の際に擬似撮影音や音声案内等の報知音を出力し、周囲の人に撮影していることを認識させる手段が採用されている（特許文献１参照）。
【特許文献１】特開２００５−１３６９２１号公報
【発明の開示】
【発明が解決しようとする課題】
【０００３】
しかしながら、盗撮が行われる場面は、繁華街や人混みのような雑踏である場合が多く、このような場合には、撮影の際に出力される擬似撮影音や音声案内等の報知音が周囲の音にかき消されて、盗撮防止の効果を発揮できないという問題がある。
【０００４】
本発明は、このような事情に鑑みてなされたものであって、繁華街や人混みのような雑踏でも、周囲の人に撮影していることを効果的に認識させる擬似撮影音を出力することができるモバイル撮影機器および撮影報知方法を提供することを目的とする。
【課題を解決するための手段】
【０００５】
上記課題を解決するために、本発明は以下の手段を採用する。
本発明は、被写体を撮影する撮影手段と、周囲の音量レベルを検出するレベル検出手段と、前記撮影手段による撮影を周囲に報知する報知手段と、前記レベル検出手段により検出された音量レベルに応じて前記報知手段の報知音量を調節する音量調節手段とを備えるモバイル撮影機器を提供する。
【０００６】
本発明によれば、レベル検出手段が、周囲の音量レベルを検出し、音量調節手段が、レベル検出手段により検出された周囲の音量レベルに応じて報知手段の報知音量を調節する。すなわち、周囲の音量レベルが大きいときは、音量調節手段が報知音量を大きく設定し、周囲の音量レベルが小さいときは、音量調節手段が報知音量を小さく設定する。これにより、報知手段は、周囲の音量レベルに応じた報知音量で、撮影手段による被写体の撮影が行われたことを周囲に報知することができる。
【０００７】
したがって、繁華街や人混みのような雑踏で撮影が行われた場合であっても、周囲の人が撮影が行われたことを認識でき、盗撮を有効に防止することができる。また、静かな環境で撮影を行った場合においても、大音量の撮影報知音により周囲に不快感を与えることなく、撮影が行われたことを周囲に報知することができる。
【０００８】
また、上記発明において、前記音量調節手段が、報知音量を所定の時間間隔で更新して設定することとしてもよい。
このように構成することで、所定の時間間隔で報知音量の設定が更新されるので、周囲の音量に応じて、適切な音量の報知音を発生させることができる。
【０００９】
また、上記発明において、前記音量調節手段は、前記レベル検出手段が周囲の音量レベルを検出できない場合に、前記撮影手段の作動を禁止させることとしてもよい。
例えば、指や粘着テープ等により、レベル検出手段による周囲の音の集音が妨げられると、周囲の音量レベルが検出できなくなる。この場合に、音量調節手段により、撮影が禁止されるので、盗撮を有効に防止することができる。
【００１０】
また、上記発明において、所定の間隔で確認音を発生する確認音発生手段を備えることとしてもよい。
このように構成することで、周囲に音が全く無い環境であっても、レベル検出手段により、確認音発生手段から発生される確認音が集音されて、音量レベルが検出される。したがって、レベル検出手段が、音量レベルを検出できない場合には、撮影状態が正常でない、すなわち、故意に、指などで周囲の音の集音が妨げられている可能性があると判断することができる。
【００１１】
本発明は、周囲の音量レベルを検出するレベル検出工程と、該レベル検出工程において検出された音量レベルに応じて報知音量を調節する音量調節工程と、被写体の撮影が行われたときに、前記音量調節工程において調節された報知音量で撮影を周囲に報知する報知工程とを備える撮影報知方法を提供する。
【００１２】
本発明によれば、レベル検出工程において、周囲の音量レベルが検出される。音量調節工程では、レベル検出工程で検出された周囲の音量レベルが大きいときは報知音量も大きく設定され、音量レベルが小さいときは報知音量も小さく設定される。これにより、報知工程において、周囲の音量レベルに応じた報知音量で、被写体の撮影が行われたことを周囲に報知することができる。
【００１３】
したがって、繁華街や人混みのような雑踏で撮影が行われた場合であっても、周囲の人が撮影が行われたことを認識でき、盗撮を有効に防止することができる。また、静かな環境で撮影を行った場合においても、大音量の撮影報知音により周囲に不快感を与えることなく、撮影が行われたことを周囲に報知することができる。
【発明の効果】
【００１４】
本発明によれば、繁華街や人混みのような雑踏で撮影が行われた場合であっても、周囲の環境に応じた音量の撮影報知音を出力し、周囲の人に撮影していることを認識させ、盗撮を効果的に防止することができるという効果を奏する。
【発明を実施するための最良の形態】
【００１５】
以下、本発明の一実施形態に係るモバイル撮影機器について、図面を参照して説明する。
本実施形態に係るモバイル撮影機器１０は、図１に示されるように、例えば、カメラ付き携帯電話機であって、通話時にユーザの音声等を集音して電圧信号（音量信号）に変換するマイクロフォン（レベル検出手段）２と、該マイクロフォン２によって検出された電圧信号を送受信する通信部１６と、着信音等を発生するスピーカ（報知手段）４と、被写体を撮影するカメラ（撮影手段）６と、該カメラ６により取得された画像等を表示する表示部８と、その画像を記憶する記憶部１４と、キーパッドやレリーズボタン等、ユーザが操作入力を行うための操作部１２と、該操作部１２を介して入力された指令信号に応じて、マイクロフォン２、通信部１６、スピーカ４、カメラ６、表示部８および記憶部１４を制御する制御部（音量調節手段）２０とを備えている。
【００１６】
カメラ付き携帯電話機は、通話時には、マイクロフォン２によって検出されたユーザの音声等の電圧信号が、通信部１６によって同じ端末との間で送受信されることにより、通話が行われるようになっている。
【００１７】
カメラ６による被写体の撮影が行われる際には、ユーザが操作部１２を操作して撮影モードを選択することにより、制御部２０が、モバイル撮影機器１０を撮影モードに切替えるようになっている。具体的には、撮影モードが選択されると、制御部２０は、カメラ６に対して起動信号を出力し、被写体の画像を取得する撮影状態に切替えるようになっている。これにより、制御部２０は、カメラ６により取得された画像情報を処理して、表示部８に表示するようになっている。
【００１８】
また、ユーザが操作部１２を操作して被写体を撮影するレリーズ指令を入力すると、制御部２０は、レリーズ指令が入力された時点でカメラ６から送られてきた画像情報を静止画像として保持するとともに、スピーカ４に対して撮影音信号を出力し、例えば、レリーズ機械音や電子音、音声案内等を発生させるようになっている。
なお、制御部２０によって保持された静止画像は、記憶部１４に記憶させることができるようになっている。
【００１９】
さらに、本実施形態においては、撮影モードが選択されることにより、制御部２０が、マイクロフォン２を起動して周囲の音を集音させるようになっている。例えば、制御部２０が、通話状態においては、周囲の狭い範囲の音、すなわち、主にユーザの音声等を集音させるためにマイクロフォン２の感度を低く設定し、撮影モードが選択されると、マイクロフォン２の感度を切替えて高く設定することとしてもよい。これにより、一のマイクロフォン２の感度を切替えるだけで、比較的広い範囲の周囲の音を集音することができる。
【００２０】
制御部２０は、マイクロフォン２から出力された音量信号に基づいて、音量レベルを検出し、検出された音量レベルに基づいて、撮影報知音の音量を切替えるようになっている。制御部２０による音量レベルの検出は、例えば、所定の時間にわたる音量信号のピーク値の平均を演算することにより行うようになっている。なお、所定時間の音量信号の最大値のみを抽出することにより、音量レベルの検出を行うこととしてもよいし、所定時間にわたる音量信号の時間平均を演算することにより、音量レベルの検出を行うこととしてもよい。
【００２１】
制御部２０は、撮影報知音の音量を切替えるためのしきい値をあらかじめ記憶している。制御部２０による報知音量の切替えは、例えば、検出された音量レベルをしきい値と比較し、音量レベルがしきい値より大きい場合には、スピーカ４に対して出力する撮影音信号を第１の音量に設定し、しきい値以下の場合には、第１の音量より小さい第２の音量に設定するようになっている。
そして、制御部２０は、レリーズ指令が入力された時点で設定されている音量の撮影音信号をスピーカ４に対して出力するようになっている。
【００２２】
このように構成された本実施形態に係るモバイル撮影機器１０の作用について、図２を用いて説明する。
ユーザにより、操作部１２が操作されて撮影モードが選択されると（ステップＳＡ１「YES」）、制御部２０は、カメラ６に起動信号を出力し、モバイル撮影機器１０を撮影状態に切替える（ステップＳＡ２）。これにより、カメラ４による被写体の画像の取得が開始され、取得された被写体の画像は、画像情報に変換されて制御部２０へ出力される。一方、撮影モードが選択されない場合には（ステップＳＡ１「ＮＯ」）、他のモードへ移行する。
【００２３】
制御部２０は、カメラ４からの画像情報を処理して、表示部８に表示させる。これにより、ユーザは、表示部８に映る被写体を確認しながら操作部１２を操作して、レリーズ指令等を行うことができる。
【００２４】
また、制御部２０は、操作部１２が操作されて撮影モードが選択されると、マイクロフォン２を起動して、ユーザの音声等を集音する通話時の感度から、周囲の広い範囲の音を集音する撮影時の感度に切替える（ステップＳＡ３）。これにより、マイクロフォン２による周囲の音の集音が開始され（ステップＳＡ４）、集音された周囲の音は、音量信号に変換されて制御部２０へ出力される。
制御部２０は、所定の時間間隔で、マイクロフォン２からの音量信号のピーク値の平均を演算することにより、周囲の音量レベルを検出する（ステップＳＡ５）。
【００２５】
制御部２０は、検出された音量レベルが、しきい値より大きい場合には（ステップＳＡ６「ＹＥＳ」）、撮影音信号を第１の音量に設定する（ステップＳＡ７）。また、検出された音量レベルが、設定されているしきい値より小さい場合には（ステップＳＡ６「ＮＯ」）、撮影音信号を第２の音量に設定する（ステップＳＡ８）。
【００２６】
この状態で、ユーザによるレリーズ指令が入力されない場合には（ステップＳＡ９「ＮＯ」）、制御部２０により、ステップＳＡ４〜ステップＳＡ８の動作が繰り返され、所定の時間間隔で撮影音信号が更新されて設定される。
【００２７】
ユーザにより、操作部１２が操作されて被写体を撮影するレリーズ指令が入力されると（ステップＳＡ９「ＹＥＳ」）、制御部２０は、その時点でカメラ６から入力された画像情報を静止画像として保持する（ステップＳＡ１０）。また、同時に、制御部２０は、その時点で設定されている音量の撮影音信号をスピーカ４に出力し、周囲の音量レベルに応じて設定された音量の撮影報知音をスピーカ４から発生させる。これにより、被写体の撮影が行われたことが周囲に報知される（ステップＳＡ１１）。
【００２８】
また、ユーザにより、画像の保存が選択されると（ステップＳＡ１２「ＹＥＳ」）、制御部２０は、保持している画像を記憶部１４に記憶させる（ステップＳＡ１３）。一方、画像の保存が選択されなかった場合には（ステップＳＡ１２「ＮＯ」）、制御部２０は、保持している画像を破棄する（ステップＳＡ１４）。
なお、画像の保存が選択された場合には、保持している画像を記憶部１４に記憶させた後に、スピーカ４から撮影報知音を発生させることとしてもよい。
【００２９】
撮影が終わると、ステップＳＡ４に戻り、制御部２０により、再び同様の操作が繰り返される。
【００３０】
以上説明したように、本実施形態に係るモバイル撮影機器１０によれば、周囲の音量レベルが大きいときは、報知音量も大きく設定され、周囲の音量レベルが小さいときは、報知音量も小さく設定されるので、周囲の音量レベルに応じた報知音量で、カメラ４による被写体の撮影が行われたことを周囲に報知することができる。
【００３１】
これにより、繁華街や人混みのような雑踏で撮影が行われた場合には、音量の大きい撮影報知音が発生されるので、周囲の人が撮影が行われたことを認識でき、盗撮を有効に防止することができる。また、静かな環境で撮影を行った場合においては、音量の小さい撮影報知音が発生されるので、大音量の撮影報知音により周囲に不快感を与えることなく、撮影が行われたことを周囲に報知することができる。
【００３２】
なお、本実施形態の場合には、指や粘着テープ等により、マイクロフォン２による周囲の音の集音が妨げられると、実際の周囲の音量レベルが検出できなくなる。この場合には、制御部２０により検出される周囲の音量レベルは、繁華街や人混みのような雑踏の中であっても、しきい値より小さい音量レベルが検出されるという不都合が考えられる。そこで、例えば、マイクロフォン２が音をまったく集音しないような場合には、制御部２０が、カメラ６を作動させないこととしてもよい。
【００３３】
また、例えば、モバイル撮影機器１０が撮影状態に切り替わると、マイクロフォン２が周囲の環境に影響されることなく集音することのできる微小な音をスピーカ４から所定の間隔で発生させることとし、この音が集音されないような場合には、撮影状態が正常でない、すなわち、故意に、マイクロフォン２が指などで覆われている可能性があるとして、制御部２０が、カメラ６を作動させないこととしてもよい。
【００３４】
また、例えば、マイクロフォン２が指などで覆われた場合には、指とマイクロフォン２との間で、モバイル撮影機器１０本体を介して伝わる振動等が多重反射することにより、高調波または遅延波が発生する。そこで、この高調波または遅延波がマイクロフォン２により検出された場合には、制御部２０が、カメラ６を作動させないこととしてもよい。
【００３５】
また、本実施形態において、音量レベルを２段階の設定に分けることとしたのは一例であり、さらに細かい段階に分けて、報知音量を設定することとしてもよい。
【００３６】
また、本実施形態は、報知音量を段階に分けて設定するのではなく、図３に示されるように、無段階に調節することとしてもよい。すなわち、制御部２０´が、検出される音量レベルをパラメータとした所定の演算式を保有しており、この演算式を利用することにより（ステップＳＢ６）、撮影報知音の音量を設定することとしてもよい（ステップＳＢ７）。また、制御部２０´が、上記演算式に代えて、音量レベルと撮影報知音の音量とが対応付けられたテーブルを保有しており、このテーブルを用いて、上記撮影報知音を設定することとしてもよい。
【００３７】
このようにすることで、周囲の音量レベルにより適合した報知音量で、カメラ４による被写体の撮影が行われたことを周囲に報知することができる。したがって、周囲の音量レベルがいかなる状態であっても、周囲の人に撮影が行われたことを確実に認識させることができ、かつ、周囲の人に不快感を与えるような撮影報知音を発生することもない。
【００３８】
なお、本変形例の場合には、検出された音量レベルが０（ゼロ）である場合には、演算結果も０（ゼロ）、すなわち、撮影報知音の音量も０（ゼロ）に設定されることとなる。そこで、例えば、検出される音量レベルに所定の定数を乗算するとともに、所定の値を加算することにより、撮影報知音の音量を設定することとしてもよい。
【００３９】
以上、本発明の実施形態について図面を参照して詳述してきたが、具体的な構成はこの実施形態に限られるものではない。例えば、本実施形態においては、通話時と撮影時の両方に使用するマイクロフォン２およびスピーカ４を例示し、マイクロフォン２の感度を切替えて周囲の音を集音させることとしたが、これに代えて、それぞれ通話時用と撮影時用とが異なるマイクロフォンおよびスピーカを設けることにし、それぞれのマイクロフォンによって周囲の音を集音させることとしてもよい。
【００４０】
また、本実施形態においては、カメラ付き携帯電話機を例示して説明したが、これに代えて、ディジタルカメラや、その他の携帯可能なカメラ付きの機器にしてもよい。
【図面の簡単な説明】
【００４１】
【図１】本発明の一実施形態に係るモバイル撮影機器の概略構成を示すブロック図である。
【図２】本発明の一実施形態に係るモバイル撮影機器の動作のフローチャート図である。
【図３】本発明の変形例に係るモバイル撮影機器の動作のフローチャート図である。
【符号の説明】
【００４２】
２  マイクロフォン（レベル検出手段）
４  スピーカ（報知手段）
６  カメラ（撮影手段）
１０  モバイル撮影機器
２０  制御部（音量調節手段）
【図１】
2008079189.tif 000003
【図２】
2008079189.tif 000004
【図３】
2008079189.tif 000005